(57)【要約】【課題】  鯨を傷つけることなく捕獲することができる鯨の捕獲方法を提供する。【解決手段】  鯨Ｗ１の進行方向の前方両側方に配置した船３、５によって捕獲用の網１を曳航し、この捕獲用の網１内に前記鯨Ｗ１を追い込んで捕獲する。【選択図】図１
2006075063.tif 000002
【特許請求の範囲】
【請求項１】
鯨の進行方向の前方両側方に配置した船によって捕獲用の網を曳航し、この捕獲用の網内に前記鯨を追い込んで捕獲することを特徴とする鯨の捕獲方法。
【請求項２】
鯨の進行方向の前方両側方に配置した船によって捕獲用の網を曳航し、前記網の外側に配した別個の船で前記鯨を前記網内に追い込み、前記両側に配置した各船で前記網を絞り込み前記鯨を包み込んで前記鯨を捕獲することを特徴とする鯨の捕獲方法。
【請求項３】
両端部に船への連結部を備えた第１のロープと； 
前記ロープの中間部に設けられ、水中に垂下する垂下網体と；
前記垂下網体の下端部に、この垂下網体と交差する方向に設けられた底網と；
一端部が前記第１のロープの一端部側の部位に接続され、他端部が前記第１のロープの他端部側の部位に接続されている第２のロープと；
前記第２のロープに設けられた浮きと；
を有することを特徴とする鯨捕獲用の網。
【発明の詳細な説明】
【技術分野】
【０００１】
本発明は、鯨の捕獲方法および鯨捕獲用の網に係り、特に、鯨の進行方向の前方両側に配した船で網を曳航して鯨を捕獲するものに関する。
【背景技術】
【０００２】
従来の捕鯨では、いわゆるノルウェー式捕鯨が行なわれていた。
【０００３】
ノルウェー式捕鯨とは、捕鯨砲を搭載した小型捕鯨船で泳いでいる鯨を追いかけ、捕鯨砲から銛を発射して鯨に命中させ、鯨を捕獲するものである。前記銛には太い綱が結び付けられており、この綱は前記捕鯨船に設けられているウィンチによって巻き上げることができるようになっており、絶命した鯨を巻き上げて曳くことができるものである（非特許文献１参照）。
【非特許文献１】北東アジアにおける近代捕鯨業の黎明、［平成１６年８月２７日検索］、インターネット＜ＵＲＬ：ｈｔｔｐ：／／ｓｒｃ−ｈｏｍｅ．ｓｌａｖ．ｈｏｋｕｄａｉ．ａｃ．ｊｐ／ｐｕｂｌｉｃｔｎ／４９／ｋａｉｍｉｇａｓａ．ｐｄｆ＞
【発明の開示】
【発明が解決しようとする課題】
【０００４】
ところで、前記従来の捕鯨では、銛を鯨に打ち込むことにより、鯨が絶命するか、絶命しなくてもかなりの程度傷つき、鯨を傷つけることなく捕獲することが困難であるという問題がある。
【０００５】
本発明は、上記問題点に鑑みてなされたものであり、鯨を傷つけることなく捕獲することができる鯨の捕獲方法、この捕獲に使用される鯨捕獲用の網を提供することを目的とする。
【課題を解決するための手段】
【０００６】
請求項１に記載の発明は、鯨の進行方向の前方両側方に配置した船によって捕獲用の網を曳航し、この捕獲用の網内に前記鯨を追い込んで捕獲する鯨の捕獲方法である。
【０００７】
請求項２に記載の発明は、鯨の進行方向の前方両側方に配置した船によって捕獲用の網を曳航し、前記網の外側に配した別個の船で前記鯨を前記網内に追い込み、前記両側に配置した各船で前記網を絞り込み前記鯨を包み込んで前記鯨を捕獲する鯨の捕獲方法である。
【０００８】
請求項３に記載の発明は、両端部に船への連結部を備えた第１のロープと、前記ロープの中間部に設けられ、水中に垂下する垂下網体と、前記垂下網体の下端部に、この垂下網体と交差する方向に設けられた底網と、一端部が前記第１のロープの一端部側の部位に接続され、他端部が前記第１のロープの他端部側の部位に接続されている第２のロープと、前記第２のロープに設けられた浮きとを有する鯨捕獲用の網である。
【発明の効果】
【０００９】
本発明によれば、鯨を傷つけることなく捕獲することができるという効果を奏する。
【発明を実施するための最良の形態】
【００１０】
図１は、本発明の実施形態に係る鯨の捕獲方法を概念的、概略的に示し、かつ、前記捕獲に使用される網１の構成を概念的、概略的に示す斜視図である。
【００１１】
図２は、図１におけるＩＩ矢視を示す図である。
【００１２】
本実施形態に係る鯨の捕獲に使用する網（鯨捕獲用の網）１は、両端部に船（たとえば漁船）３、５への連結部を備えた第１のロープ７と、このロープ７の中間部に、水中に垂下するように設けられた垂下網体（以下、単に「網体」という場合がある。）９と、前記垂下網体９の下端部（下端部の近傍であってもよい。）に、この垂下網体９と交差するように（たとえば、ほぼ水平状に）設けられた底網１１と、前記第１のロープ７に接続されている第２のロープ１３とを備えている。
【００１３】
前記網体９は、鯨を捕獲するに充分な大きさで、所定の幅と所定の高さとを備えた形状に形成されており、上端部側が前記第１のロープ７に支持されている。
【００１４】
前記底網１１は、前記両側の各船３、５によって網１（網体９）を曳航したときに、前記網体９によって両側が囲繞される領域の内側方向へほぼ水平状に突出するように設けられている。
【００１５】
前記第２のロープ１３は、一端部１３Ａが前記第１のロープ７の一端部側の部位（網体９の付近や網体９の領域）に接続され、他端部１３Ｂが前記第１のロープ７の他端部側の部位（網体９の付近や網体９の領域）に接続されている。また、前記第２のロープ１３の長さは、前記一端部１３Ａと前記他端部１３Ｂとの間における前記第１のロープ７の長さよりも短くなっている。
【００１６】
前記第２のロープ１３には、適宜の間隔（たとえば１ｍ程度の間隔）をあけて複数の浮き（たとえばゴム製の浮き輪）１５が設けられている。
【００１７】
また、前記網体９の幅方向（前記第１のロープ７の長手方向）の両端部（両端部の付近を含む）であって前記網体９の下端部（下端部の付近を含む）には、第３のロープ１７、１９の一端部のそれぞれが接続されている。これらの第３のロープ１７、１９の他端部側のそれぞれには、前記各船３、５への連結部が設けられている。
【００１８】
さらに、前記底網１１の両端部であって前記底網１１の先端部（前記網体９との接合部とは反対側の部位）には、第４のロープ２１、２３の一端部のそれぞれが接続されている。これらの第４のロープ２１、２３の他端部側のそれぞれには、前記各船３、５への連結部が設けられている。
【００１９】
なお、前記網１では、１本のロープ７の中間部に網体９が設けられているが、前記ロープ７の形態を次のように変更してもよい。すなわち、前記ロープ７を２本とし、１本が前記網体９（網体９の上部の一端部）から前記船３に延出するようにし、他の１本が前記網体９（網体９の上部の他端部）から前記船５に延出するようにしてもよい。この場合も、前記第１のロープ７と前記網体９とは一体的であるから前記第１のロープ７を１本のロープと見ることができる。
【００２０】
ここで、鯨Ｗ１を捕獲すべく前記網１を前記各船３、５で曳航している場合における前記網１の形態について詳しく説明する。
【００２１】
前記各船３、５で曳航しているときの前記網１の形態は、図１に示すように、前記鯨Ｗ１の進行方向（図１の矢印ＡＲ１）側に凸状になっている。
【００２２】
より詳しく説明すると、前記各船３、５で前記網１を曳航している際、前記第１のロープ７は、海面または海面の近傍に位置して、たとえば「Ｖ」字状や「Ｕ」字状に形成され、前記各船３、５の進行方向（図１の矢印ＡＲ３の方向）とは反対側（前記鯨Ｗ１のほぼ進行方向側）に凸状になって、前記各船３、５の間で長く延びている。
【００２３】
また、平面視したときに前記網体９も、前記第１のロープ７と同様に、前記鯨Ｗ１のほぼ進行方向側に凸状になっている。つまり、前記網体９の上部は、前記第１のロープ７の中間部と同様の形態に形成されており、この形態のまま、前記網体９は前記第１のロープ７の中間部から垂下している。換言すれば、網体９は、鯨Ｗ１側には、鯨Ｗ１が入り易いように凹状に湾曲した形状に広がった状態にある。
【００２４】
ところで、前記第２のロープ１３に浮き１５が設けられているので、前記第２のロープ１３は海中に没することはない。一方、前記網体９の上部には、浮きが設けられていないので、網１を曳航していない状態では、前記網体９や網体９の上部にある前記第１のロープ７の部位は、海中に沈む傾向にある。しかし、網１を各船３、５で曳航すると水の抵抗力によって前記網体９に浮力が発生し、前記第１のロープ７は、前述したように海水面近傍に浮上し、また、前記網体９の上縁部は、前記第１のロープといっしょに海水面近傍に位置し、前記網体９の下部側は、前記第１のロープ７から垂下する。
【００２５】
なお、網体９の上下方向の寸法（高さ）Ｌ１は約３０ｍ程度であり、前記網体９の幅（図１の寸法Ｌ３（約５０ｍ程度）と寸法Ｌ５（約５０ｍ程度）との和）は約１００ｍ程度であり、前記第１のロープ７の長さ（図１の寸法Ｌ７（約１００ｍ程度）と寸法Ｌ９（約１００ｍ程度）との和）は、前記網体９の幅よりも十分長く、たとえば、約２００ｍ程度である。したがって、前記網体９の両側における前記第１のロープ７の各延出長さは、約５０ｍ程度になる。
【００２６】
前記垂下網体９の下部では、前記底網１１が、前記各船３、５の進行方向に僅かに突出している。より詳しく説明すると、平面視したときに、前記底網１１は、前記各船３、５で前記網１を曳航した場合の前記網体９の形状に合うように、たとえば「Ｖ」字状や「Ｕ」字状に形成されており、所定の幅Ｌ１１（たとえば２ｍ〜３ｍ）で前記網体９に縁取りをしたように、前記各船３、７の進行方向に僅かに突出している。
【００２７】
なお、各船３、５で曳航したときに前記網１が前述した形態になるようにするために、たとえば、前記第３のロープ１７、１９や前記第４のロープ２１、２３を介して各前記船３、５で前記網１の下方の両側が適宜曳かれるようになっている。
【００２８】
また、前記網体９や前記底網１１の網目は、たとえば１ｍ×１ｍ程度の四角形状をなしており、前記網体９や前記底網１１を構成している線材は、ナイロン等の合成繊維を撚り合わせたものであって、たとえば２ｃｍ程度の外径を有するもので構成されている。
【００２９】
前記網１の大きさは、捕獲する鯨の種類（大きさ等）に応じて適宜変更されるものである。
【００３０】
また、前記第２のロープ１３は、前記各船３、５による前記網１の曳航時や前記網１内に鯨が入り込んだときに、前記網体９が広がり過ぎることを防止するために、たとえば、外径が５０ｃｍ程度であり、の太い合成繊維等を撚り合わせたもので構成されていることが望ましい。
【００３１】
また、前記各ロープ７、１７、１９、２１、２３も、たとえば、外径が５０ｃｍ程度であり、太い合成繊維等を撚り合わせたもので構成されていることが望ましい。
【００３２】
さらに、前記各ロープ７、１３、１７、１９、２１、２３、前記網体９、前記底網１１や浮き１５は、海水中で目立たない色（たとえば青色）に着色されていることが望ましい。
【００３３】
次に前記網１を用いて鯨を捕獲する場合について説明する。
【００３４】
ここで、鯨の性質について簡単に説明する。
【００３５】
鯨は進行方向を急激に変えることはできず、したがって、前方に網等の障害物を発見した場合であっても、網の前でＵターンすることはできない。また、鯨の進行方向前側の海水面で、騒音等が発生していると身の危険を感じ、潜って進行することにより前記騒音を回避しようとする。また、網内で捕獲されると、一般の魚類のように暴れることはほとんどなく、静かになる。
【００３６】
まず、鯨Ｗ１を発見したときに、鯨Ｗ１の進行方向の前方両側方に配置した船（たとえば漁船）３、５によって、捕獲用の網１を前記鯨Ｗ１の進行方向とはほぼ逆の方向にたとえば１０ノット程度の速度で曳航する。
【００３７】
続いて、鯨Ｗ１が前記網１にある程度接近した後（たとえば、鯨Ｗ１が前記各船を互いに結ぶ線上（好ましくは、前記線上より僅かに前記網１側）に位置したとき）、前記網１の外側に配した第１の船（たとえばタグボート）２５で前記鯨を前記網１内に追い込み前記鯨Ｗ１の進行を止める。
【００３８】
前記進行を止めたら速やかに、前記両側に配置した各船３、５で前記網１を絞り込んで前記鯨Ｗ１を包み込む。
【００３９】
前記包み込んだ鯨Ｗ１を傷つけないように布等で包み込んで、第２のタグボート２７等の船で処理基地へ運ぶ。
【００４０】
なお、前記網１の外側に配した第１のタグボート２５で前記鯨Ｗ１を前記網１内に追い込む際には、たとえば、前記網１を間にして前記鯨Ｗ１とは反対側（前記網１の外側）にタグボート２５を配置し、前記タグボート２５の乗員が海水面を棒等の器具を用いてたたくことによって、または、自動的に音を発生する装置を用いることによって、前記鯨Ｗ１の前方にて鯨Ｗ１を驚かすための音を発生し前記鯨Ｗ１を潜らせ、前記網１内に追い込む。
【００４１】
また、前記網１を絞り込む際、前記鯨Ｗ１の進行方向の前方両側方に配置した各船３、５を互いに近づけて、前記各ロープ７、１７、１９、２１、２３を前記各船３、５に適宜巻き上げ、前記網１を絞り込む。
【００４２】
さらに、前記鯨Ｗ１の後方に配置したタグボート２７によって、前記網１内に追い込まれた前記鯨Ｗ１を生きたまま捕獲する。より詳しく説明すると、前記タグボート２７の乗員が、前記網１内の鯨の尾柄部（尾ヒレと胴体との間の細い部位）に短いロープの一端部を巻いて固定し前記ロープの他端部を前記タグボート２７に固定し、前記鯨Ｗ１が逃げられないようにすると共に、前記鯨Ｗ１を布等でくるみ、前記タグボート２７で処理基地の港まで前記クジラを曳航する。
【００４３】
本実施形態の鯨の捕獲方法によれば、銛等を打ち込むことなく、網１の中に追い込んで鯨Ｗ１を捕獲するので、傷つけることなく鯨Ｗ１を捕獲（生け捕り）することができる。
【００４４】
そして、生け捕った鯨Ｗ１に調査のためのタグをつけて放すことや、生け捕った鯨Ｗ１を水族館等のテーマパークでたとえばショウのために飼うこともできる。
【００４５】
また、急激なＵターンをすることができない等の鯨の性質を利用しているので、簡素な構成の網で鯨を捕獲することができる。
【００４６】
また、従来のように銛を使用することがないので、捕獲時に鯨から出血することもなく、残酷な手法を用いることなく鯨Ｗ１を捕獲することができる。
【００４７】
さらに、出血しないので、生け捕った鯨Ｗ１から適宜の量の採血をし、この後、鯨Ｗ１を放すようにしてもよい。鯨Ｗ１から採血した血液は、たとえば医薬品の材料として使用できる。
【００４８】
また、本実施形態の鯨の捕獲方法において、鯨Ｗ１を確実に捕獲するには、鯨Ｗ１を網体９の中央部付近に追い込むことが望ましい。そのために、タグボート２５のところで、音を発生させるようにしている。しかし、前記音の発生により鯨Ｗ１が深く潜りすぎて、前記網体９の下部を通って逃げてしまうことも想定される。
【００４９】
そこで、本実施形態の鯨の捕獲においては、前記網１に底網１１を設けてある。この底網１１を設けたことによって、潜った鯨Ｗ１は前記底網１１を障害物と感じ、深く潜り過ぎることが無くなり、網体９のほぼ中央部に鯨Ｗ１を追い込むことができる。
【００５０】
また、前記底網１１を設けたことによって、各船３、５を互いに寄せて前記網１を絞ったときに前記底網１１が障害物となり、鯨Ｗ１が網１の下方に逃げられなくなり、鯨Ｗ１を一層確実に捕獲することができる。
【００５１】
なお、図１や図２では、前記底網１１と前記網体９との接合部は、ほぼ直角になっているが、前記底網１１と前記網体９との接合部が、円弧状に形成されていてもよい。すなわち、前記網体９から前記底網１１に急激に移行するのではなく、前記網体９と前記底網１１との境界がはっきりしないように徐々に移行するようにしてもよい。このように構成することにより、網体９と底網１１との接合部に応力が集中するような事態を回避することができる。
【００５２】
また、本実施形態の鯨の捕獲方法によれば、鯨Ｗ１を網に追い込み捕獲してそのままタグボート２７を用いてたとえば港まで運べばよいので、従来よりも早く鯨Ｗ１を捕獲することができる。たとえば、前記従来の方法で鯨１頭を捕獲するのに３時間〜４時間の時間を要していたが、本方法によれば１時間程度の時間で１頭の鯨を捕獲することができる。
【００５３】
また、専用の船ではなく、漁船を用いて網を曳航し、タグボートから音を発生し、タグボートを用いて鯨を搬送すれば、安価な船を用いて鯨を捕獲することができる。特に、近年では港湾が整備されタグボートが余剰状態の傾向にあるので、余剰なタグボートの有効利用をはかることができる。
【００５４】
本実施形態の鯨の捕獲方法は、たとえば、調査捕鯨に適用することができると共に、将来、商業捕鯨が再開された場合、商業捕鯨にも適用することができる。
【００５５】
なお、本発明は前記実施形態に限ることなく、適宜の変更を行なうことにより、その他の態様でも実施することができる。たとえば、前記各船３、５で曳航しているときの前記網体９が平面視したときに、円弧状に形成されていてもよいし、また、底網１１が、前記網体９に両側を囲繞された領域のほぼ全域にわたって設けられていてもよい。
【図面の簡単な説明】
【００５６】
【図１】本発明の実施形態に係る鯨の捕獲方法を概念的、概略的に示し、かつ、前記捕獲に使用される網の構成を概念的、概略的に示す斜視図である。
【図２】図１におけるＩＩ矢視を示す図である。
【符号の説明】
【００５７】
１  網
３、５、２５、２７  船
７、１３、１７、１９、２１、２３  ロープ
９  網体
１１  底網
１５  浮き
【図１】
2006075063.tif 000003
【図２】
2006075063.tif 000004